(57)【特許請求の範囲】
【請求項１】
画像形成状態を変更する複数の処理機能のそれぞれについて処理内容の設定入力操作を受け付ける入力画面を表示する表示部を設け、設定入力された複数の処理内容に基づいて各処理機能を実行する画像形成装置において、
前記処理機能についての処理内容の設定入力操作が選択された際に、前記表示部の表示を、処理内容の設定入力操作が選択された複数の処理機能についてのみ処理内容の設定入力を受け付ける単一の設定入力画面に切り換え、
前記設定入力画面が、複数の処理機能のそれぞれについて設定可能な複数の処理内容の全てを表示し、処理内容の設定入力操作を行うことが選択された複数の処理機能について処理内容の選択入力を受け付ける画面であることを特徴とする画像形成装置。
【請求項２】
画像形成状態を変更する複数の処理機能のそれぞれについて処理内容の設定入力操作を受け付ける入力画面を表示する表示部を設け、設定入力された複数の処理内容に基づいて各処理機能を実行する画像形成装置において、
前記処理機能についての処理内容の設定入力操作が選択された際に、前記表示部の表示を、処理内容の設定入力操作が選択された複数の処理機能についてのみ処理内容の設定入力を受け付ける単一の設定入力画面に切り換え、
前記設定入力画面が、処理内容の設定入力操作を行うことが選択された複数の処理機能のそれぞれのみについて設定可能な複数の処理内容の全てを表示し、表示中の処理機能について処理内容の選択入力を受け付ける画面であることを特徴とする画像形成装置。
【請求項３】
前記設定入力画面と異なる入力画面において、複数の処理機能のそれぞれについて、処理内容の設定入力操作を行うか否かの選択入力を受け付ける請求項１又は２に記載の画像形成装置。
【発明の詳細な説明】
【０００１】
【産業上の利用分野】
この発明は、複写機等の画像形成装置に関し、特に、設定入力された処理内容に基づいて画像形成状態を変更する複数の処理機能を実行するようにした画像形成装置に関する。
【０００２】
【従来の技術】
複写機を含む画像形成装置では、用紙の両面に画像を形成する両面画像形成処理、複数の画像を単一の用紙上に組み合わせる合成画像形成処理、指定領域の外側又は内側の画像部分を削除するトリミング／マスキング処理、及び、画像形成処理後の複数枚の用紙を綴じるステープル処理等の画像形成状態を変更する種々の処理機能を備えたものがある。
【０００３】
このような処理機能を実行する場合、例えば、両面画像形成処理にあっては、丁合処理の都合上、原稿枚数が奇数枚であるか偶数枚であるかを設定入力する必要があり、トリミング／マスキング処理においては所定の領域を設定する必要があるなど各処理機能に応じたデータを入力しなければならない。このような処理機能の設定に係るデータの入力を各処理機能毎に個別のキースイッチを用いて行うこととすると、実行可能な処理機能の増加にともなって操作部に配置すべきキースイッチ数が増加し、操作部の大型化及び操作の煩雑化を招く。
【０００４】
そこで、従来の画像形成装置では、操作部にＬＣＤ等により構成された表示部を備え、この表示部に実行可能な処理機能を表示するとともに、選択された処理機能について処理内容の設定入力を受け付ける入力画面を表示するようにしたものがあった。これによってオペレータは表示部において所望の処理機能を選択した後、その処理機能に係る処理内容を表示画面の表示内容にしたがって設定入力することができ、操作部に配置すべきキースイッチ数の増加を防ぐことができる。
【０００５】
また、特開平１−６４９６７号公報に開示された構成では、複数の処理機能のそれぞれについての処理内容の入力画面を切り換えて表示する場合に、特定のキー操作により他の表示画面での設定内容を表示部に表示するようにしている。即ち、画像形成装置は、先ず、表示部に機能選択画面を表示し、実行可能な複数の処理機能のうちでオペレータが所望する処理機能の選択を受け付け、次いで、選択された処理機能に係る処理内容の入力画面を表示部に表示して処理内容の入力操作を受け付ける。この入力画面の表示中にオペレータが切換キーを操作すると、現在設定されている処理機能を表示部に一覧表示する。
【０００６】
この構成により、オペレータは、特定の処理機能に係る処理内容の入力操作時に、現在設定されている処理機能を容易に確認することができ、複数の処理機能を同時に使用する場合に、他の処理機能に係る入力画面において既に入力した処理内容と矛盾する処理内容を入力することを防止し、正確な処理内容の入力操作を容易に行うことができる。
【０００７】
【発明が解決しようとする課題】
しかしながら、従来の画像形成装置では、オペレータが選択した処理機能毎にそれぞれ独立した入力画面を切換表示するようにしていたため、複数の処理機能を同時に使用する場合には、各処理機能についての処理内容の設定入力が完了する毎に入力画面の切換操作が必要になるとともに、各処理機能に係る処理内容の設定状態を確認するための操作も必要になり、処理内容の入力作業が煩雑化する問題がある。
【０００８】
一方、画像形成装置において実行可能な全ての処理機能に係る処理内容の入力操作を単一の表示画面において受け付けることとすると、各表示内容の表示サイズが小さくなって表示内容を視認し辛くなるとともに、各表示内容の表示間隔も小さくなるために誤操作を生じ易くなる問題があった。
【０００９】
この発明の目的は、画像形成装置において実行可能な複数の処理機能のうち、オペレータが所望する処理機能に係る処理内容の入力操作のみを単一の表示画面において受け付けることにより、複数の処理機能を同時に使用する場合の操作回数を削減して処理内容の入力作業を簡略化することができるとともに、各表示内容の表示サイズ及び表示間隔をその視認や操作に支障を来すことのない大きさとすることができ、表示内容の視認性の低下や処理内容の誤入力を招来することのない画像形成装置を提供することにある。
【００１０】
【課題を解決するための手段】
請求項１記載した発明は、画像形成状態を変更する複数の処理機能のそれぞれについて処理内容の設定入力操作を受け付ける入力画面を表示する表示部を設け、設定入力された複数の処理内容に基づいて各処理機能を実行する画像形成装置において、
前記処理機能についての処理内容の設定入力操作が選択された際に、前記表示部の表示を、処理内容の設定入力操作が選択された複数の処理機能についてのみ処理内容の設定入力を受け付ける単一の設定入力画面に切り換え、
前記設定入力画面が、複数の処理機能のそれぞれについて設定可能な複数の処理内容の全てを表示し、処理内容の設定入力操作を行うことが選択された複数の処理機能について処理内容の選択入力を受け付ける画面であることを特徴とする。
【００１１】
請求項１に記載した発明においては、オペレータが処理内容の設定入力を所望する処理機能についてのみ、表示部に表示された単一の設定入力画面において処理内容の設定入力を受け付ける。したがって、オペレータが処理内容の設定入力を所望する処理機能の全てについて単一の設定入力画面において処理内容の設定入力を受け付けるとともに、オペレータが処理内容の設定入力を所望しない処理機能についてはその設定入力画面においては処理内容の設定入力を受け付けることがない。
また、処理内容の設定入力操作を行うことが選択された複数の処理機能について、設定可能な複数の処理内容の全てが単一の設定入力画面に表示される。したがって、単一の設定入力画面に表示されている処理内容のいずれかを選択することにより、オペレータが処理内容の設定入力を所望する処理機能の全てについて処理内容が確実に設定される。
【００１２】
請求項２に記載した発明は、画像形成状態を変更する複数の処理機能のそれぞれについて処理内容の設定入力操作を受け付ける入力画面を表示する表示部を設け、設定入力された複数の処理内容に基づいて各処理機能を実行する画像形成装置において、
前記処理機能についての処理内容の設定入力操作が選択された際に、前記表示部の表示を、処理内容の設定入力操作が選択された複数の処理機能についてのみ処理内容の設定入力を受け付ける単一の設定入力画面に切り換え、
前記設定入力画面が、処理内容の設定入力操作を行うことが選択された複数の処理機能のそれぞれのみについて設定可能な複数の処理内容の全てを表示し、表示中の処理機能について処理内容の選択入力を受け付ける画面であることを特徴とする。
【００１３】
請求項２に記載した発明においては、オペレータが処理内容の設定入力を所望する処理機能についてのみ、表示部に表示された単一の設定入力画面において処理内容の設定入力を受け付ける。したがって、オペレータが処理内容の設定入力を所望する処理機能の全てについて単一の設定入力画面において処理内容の設定入力を受け付けるとともに、オペレータが処理内容の設定入力を所望しない処理機能についてはその設定入力画面においては処理内容の設定入力を受け付けることがない。
また、オペレータが処理内容の設定入力を所望する処理機能のみについて設定可能な処理内容の全てが単一の設定入力画面に表示され、オペレータが処理内容の設定入力を所望しない処理機能については処理内容が設定入力画面に表示されることがない。したがって、単一の設定入力画面において選択可能に表示される処理内容数が削減される。
【００１６】
請求項３に記載した発明は、前記設定入力画面と異なる入力画面において、複数の処理機能のそれぞれについて、処理内容の設定入力操作を行うか否かの選択入力を受け付けることを特徴とする。
【００１７】
請求項３に記載した発明においては、画像形成装置において実行可能な複数の処理機能のそれぞれについて、処理内容の設定入力を行うか否かのオペレータの選択入力に基づいて、設定入力画面において処理内容の設定入力を受け付けるべき処理機能が決定される。したがって、設定入力画面においてオペレータによる処理内容の設定入力を受け付けるべき処理機能が正確に決定される。
【００１８】
【発明の実施の形態】
図１は、この発明の実施形態に係る画像形成装置の一例であるディジタル複写機（以下、単に複写機という。）の概略の構成を示す図である。複写機本体３０の内部は、スキャナ部３１とレーザ記録部３２とによって構成されている。
【００１９】
スキャナ部３１は、複写機本体３０の上面に配置された硬質透明ガラスの原稿台３５、原稿台３５の上面を開閉自在にして装着された自動原稿送り装置（以下、ＲＡＤＦという。）３６、及び、原稿台３５の下方に配置されたスキャナユニット４０からなる。
【００２０】
ＲＡＤＦ３６は、原稿載置部に載置された複数枚の原稿を、オペレータの選択に応じて片面又は両面が原稿台３５の上面に対向するように１枚ずつ搬送する。スキャナユニット４０は、ランプアセンブリ４１及びミラー４２ａを搭載して原稿台３５の下面を一定速度で移動する第１走査ユニット４０ａ、ミラー４２ｂ，４２ｃを搭載して原稿台３５の下面を第１走査ユニット４０ａの１／２の速度で移動する第２走査ユニット４０ｂ、受光量に応じた電気信号を出力するＣＣＤ等の光電変換素子４４、並びに、画像読取光の原稿画像面における反射光を光電変換素子４４に結像させるレンズ４３を備えている。
【００２１】
レーザ記録部３２は、光電変換素子４４から出力された電気信号に基づく画像光を照射するレーザ書込ユニット４６、感光体ドラム４８を回転自在に支持した画像プロセス部４７、画像プロセス部４７を通過した用紙を加熱及び加圧する定着装置４９、複数枚の用紙を収納した給紙カセット５１，５２、及び、用紙の両面に画像を形成する両面画像形成モード時に片面に画像を形成した用紙を一時貯留する中間トレイ５３を含む。
【００２２】
また、複写機本体３０の一方の側面には手差し用紙が載置される手差し給紙トレイ５４が装着されており、複写機本体３０の他方の側面には画像形成処理を終了した用紙の丁合処理やステープル処理等の後処理を行うソータ３４が装着されている。さらに、複写機本体３０の上面には後述する操作パネルが配置されている。
【００２３】
以上の構成により、複写機本体３０における画像形成作業時には、ＲＡＤＦ３６の原稿載置部に載置された原稿が原稿台３５の上面に搬送された後、第１走査ユニット４０ａ及び第２走査ユニット４０ｂが原稿台３５の下面を移動し、ランプアセンブリ４１から照射された画像読取光により原稿の画像面が露光走査される。画像読取光の原稿画像面における反射光はミラー４２ａ〜４２ｃ及びレンズ４３を介して光電変換素子４４により受光される。
【００２４】
光電変換素子４４は、原稿画像面からの反射光の光量に応じた電気信号を画像信号として出力し、この画像信号が図外の画像処理部における画像処理を施された後に画像データとしてレーザ書込ユニット４６に供給される。レーザ書込ユニット４６は、画像データに基づいて半導体レーザを駆動し、半導体レーザから照射された光をポリゴンミラー及びｆθレンズを介して感光体ドラム４８の表面に画像光として配光する。
【００２５】
画像形成プロセス部４７において回転する感光体ドラム４８の表面には画像光の配光に先立って単一極性の電荷が均一に付与されており、画像光の配光による光導電作用によって感光体ドラム４８の表面に静電潜像が形成される。画像光の配光を受けた感光体ドラム４８の表面には現像剤が供給され、静電潜像が現像剤画像に顕像化される。
【００２６】
感光体ドラム４８の回転に先立って給紙カセット５１，５２、中間トレイ５３又は手差し給紙トレイ５４のいずれかから用紙が１枚ずつ給紙されており、給紙された用紙は感光体ドラム４８の回転に同期して画像形成プロセス部４７内に導かれる。画像形成プロセス部４７では、感光体ドラム４８の表面に担持された現像剤画像が用紙の表面に転写される。画像形成プロセス部４７を通過した用紙は定着装置４９に導かれて加熱及び加圧され、現像剤画像が溶融して用紙の表面に定着する。
【００２７】
片面画像形成モード時、又は、両面画像形成モードにおける両面の画像形成終了時には、定着装置４９を通過した用紙はソータ３４に排出される。一方、両面画像形成モードにおける片面の画像形成終了時には、定着装置４９を通過した用紙は表裏面を反転した後に中間トレイ５３に一時貯留され、中間トレイ５３から画像形成プロセス部４７に再度給紙される。
【００２８】
図２は、上記複写機の制御部の構成を示すブロック図である。複写機本体３０に設けられた各部の機器は、中央処理ユニット３４４によって統括して制御される。このため、中央処理ユニット３４４には、画像処理部３４１、操作パネルユニット３４５、ソータコントロールユニット３４６、ＡＤＦ関係負荷機器３４７、スキャナ部関係負荷機器３４８及びレーザ記録部関係負荷機器３４９が接続されている。
【００２９】
画像処理部３４１は、スキャナ部３１の光電変換素子４４から出力された画像信号をディジタルデータに変換する画像データ入力部３４０、レーザ記録部３２のレーザ書込ユニット４６に画像データを出力する画像データ出力部３４２、及び、画像処理後の画像データを格納するメモリ３４３を備えている。画像処理部３４１は、画像データ入力部３４０から入力された画像データに対してγ補正等の所定の画像処理を施してメモリ３４３に一時格納した後、画像データ出力部３４２を介してレーザ書込ユニット４６に出力する。
【００３０】
なお、画像処理部３４１は、スキャナ装置やパーソナルコンピュータ等の外部装置から入力された画像データを処理するものとすることもできる。
【００３１】
操作パネルユニット３４５は、キースイッチ及びディスプレイを備えた操作パネルと中央処理ユニット３４４との間のデータの入出力を制御する。即ち、操作パネルにおけるキースイッチの操作データを中央処理ユニット３４４に入力するとともに、中央処理ユニット３４４から出力された表示データに基づいて操作パネルのディスプレイを駆動する。
【００３２】
ソータコントロールユニット３４６は、中央処理ユニット３４４から出力される制御データに基づいて複写機本体３０の側面に装着されたソータ３４の動作を制御する。ＡＤＦ関係負荷機器３４７は、ＲＡＤＦ３６において原稿搬送部に駆動力を供給するモータやソレノイド等によって構成される。スキャナ部関係負荷機器３４８は、第１走査ユニット４０ａ及び第２走査ユニット４０ｂに駆動力を供給するモータやクラッチ等によって構成される。レーザ記録部関係負荷機器３４９は、感光体ドラム４８に回転力を供給するモータ、用紙搬送部に駆動力を供給するクラッチやソレノイド、及び、画像形成プロセス部４７の各部に電圧を印加する高圧電源回路等によって構成される。中央処理ユニット３４４は、ＡＤＦ関係負荷機器３４７、スキャナ部関係負荷機器３４８及びレーザ記録部関係負荷機器３４９に対して所定のタイミングで駆動データを出力する。
【００３３】
図３は、上記複写機の操作パネルの平面図である。複写機本体３０の上面に配置された操作パネル７３は、表面にタッチパネル８２を有するこの発明の表示部であるＬＣＤ等のディスプレイ８１、複写枚数等の数値データの入力を受け付けるテンキー９３、数値データの消去や連続複写動作の中断の指示を受け付けるクリアキー９４、複写動作の開始の指示を受け付けるスタートキー９５、現在設定中の処理機能や機能の全ての解除の指示を受け付ける全解除キー９６、連続複写動作中に別の原稿に係る複写動作の実行の指示を受け付ける割込キー９７、及び、各処理機能についての処理内容の設定時に既に処理内容が設定済みの処理機能に係る設定画面を再表示すべき指示を受け付けるプレイバックキー９８等を備えている。
【００３４】
図４は、上記複写機における処理内容設定時の処理手順を示すフローチャートである。電源投入後の複写機において初期設定が終了すると、複写機本体３０の上面に配置された操作パネル７３のディスプレイ８１には、図５に示す基本画面が表示されており、複写機の制御部は操作者による操作パネル７３のキースイッチ９３〜９８及びタッチパネル８２の操作を待機している（ｓ１）。
【００３５】
この基本画面では、ディスプレイ８１内の上部中央のメッセージ表示部５０１に「コピーできます。」のメッセージが表示され、上部右側の原稿サイズ表示部５０２に原稿台３５の上面又はＲＡＤＦ３６の原稿載置部に載置された原稿のサイズが表示され、同じく上部右側の用紙サイズ表示部５０７に給紙カセット５１，５２及び手差し給紙トレイ５４にセットされた用紙のサイズが表示され、上部左側には特別機能キー５１７が表示される。また、ディスプレイ８１内の中央部の複写倍率表示部５０３、露光モード表示部５０４、複写面表示部５０５及びステープル機能表示部５０６のそれぞれに、複写倍率、露光モード、複写面及びステープル機能の現在の設定状態が表示される。
【００３６】
さらに、基本画面において、ディスプレイ８１内の下部には複写モードの変更を受け付ける複写モードキー５０９、複写濃度を薄くする指示を受け付ける濃度低下キー５１０、露光モードの変更を受け付ける露光モードキー５１１、複写濃度を濃くする指示を受け付ける濃度上昇キー５１２、複写倍率を小さくする指示を受け付ける縮小キー５１３、複写倍率を大きくする指示を受け付ける拡大キー５１４、設定された原稿サイズと用紙サイズとから適当な複写倍率を選択する指示を受け付けるＡＭＳキー５１５、及び、用紙給紙位置の設定変更を受け付ける用紙キー５１６が表示される。
【００３７】
ディスプレイ８１において図５に示す基本画面を表示中に、ディスプレイ８１のキー５０９〜５１６のいずれかが押圧操作されると、中央処理ユニット３４４は、操作された位置に応じて処理機能の設定内容を変更するとともに、ディスプレイ８１における表示部５０１〜５０７の表示内容を変更する。
【００３８】
ディスプレイ８１において図５に示す基本画面を表示中に、特別機能キー５１７が押圧操作されると（ｓ２）、中央処理ユニット３４４は特別機能選択モードに移行するとともに、ディスプレイ８１に図６に示す機能選択画面を表示する（ｓ３）。この機能選択画面では、ディスプレイ８１の上部に「ご使用の機能を選択してください。」のメッセージ６０１が表示され、中央部に枠消しキー６０２、綴じ代キー６０３、ＯＨＰ合い紙キー６０４、１セット２コピーキー６０５、ステープルキー６０６及びパンチキー６０７の各処理機能の選択を受け付ける機能キーが表示され、下部に完了キー６０８が表示される。
【００３９】
ここに、枠消しキー６０２、綴じ代キー６０３、ＯＨＰ合い紙キー６０４及び１セット２コピーキー６０５は複写処理機能に係る機能キーであり、ステープルキー６０６及びパンチキー６０７は後処理機能に係る機能キーである。
【００４０】
ディスプレイ８１において図６に示す機能選択画面を表示中に、機能キー６０２〜６０８のいずれかが押圧操作されると（ｓ４）、中央処理ユニット３４４は、押圧操作された機能キーが既に選択されている処理機能に係る機能キーであるか否かの判別を行い（ｓ５）、既に選択されている処理機能に係る機能キーが押圧操作された場合にはその処理機能の選択状態を解除し（ｓ６）、未だ選択されていない処理機能に係る機能キーが押圧操作された場合にはその処理機能の選択状態を設定する（ｓ７）。中央処理ユニット３４４は、選択されている処理機能については、機能キーを反転表示又は点滅表示する。
【００４１】
例えば、図７は、複写処理機能として綴じ代機能が選択され、後処理機能としてステープル機能が選択された場合の表示状態を示している。なお、少なくとも１つの処理機能が選択されている場合には、ディスプレイ８１の下部には設定変更キー６０９が表示される。
【００４２】
ディスプレイ８１において図６に示す機能選択画面を表示中に完了キー６０８が押圧操作されると（ｓ８）、中央処理ユニット３４４は、ｓ１の待機状態に戻り、ディスプレイ８１に図５に示す基本画面を表示する。
【００４３】
いずれかの処理機能が選択されている状態で設定変更キー６０９が押圧操作されると（ｓ１０）、中央処理ユニット３４４は、設定変更モードに移行し、ディスプレイ８１に図８に示す設定入力画面を表示する（ｓ１１）。この設定入力画面では、ディスプレイ８１の上部に「使用する機能の設定をしてください。」のメッセージ８０１が表示され、中央部に特別処理機能のそれぞれについての設定キー群８２４が表示され、下部に完了キー８２３が表示される。
【００４４】
設定キー群８２４の１行目には「枠消し」、「センタ消去」及び「枠消し＋センタ消去」の３種類の枠消しモードに対応する設定キー８０２〜８０４が表示され、２行目には「０ｍｍ」〜「１５ｍｍ」の６種類の表面綴じ代に対応する設定キー８０５〜８１０が表示され、３行目には「０ｍｍ」〜「１５ｍｍ」の６種類の裏面綴じ代に対応する設定キー８１１〜８１６が表示され、４行目には「コピーする」及び「コピーしない」の２種類のＯＨＰ合い紙モードに対応する設定キー８１７，８１８が表示され、５行目には「しない」及び「強制ステープル」の２種類のステープルモードに対応する設定キー８１９，８２０が表示され、６行目には「しない」及び「強制パンチ」の２種類のパンチモードに対応する設定キー８２１，８２２が表示される。
【００４５】
なお、ＯＨＰ合い紙モードについて「コピーする」を選択するとＯＨＰフィルム及び当て紙に画像が複写され、「コピーしない」を選択するとＯＨＰフィルムのみに画像が複写される。
【００４６】
この設定入力画面においては、機能選択画面において選択されている処理機能であるタッチパネル８１の綴じ代処理に関する設定キー８０５〜８１６及びステープル処理に関する設定キー８１９，８２０の操作のみを受け付ける。設定入力画面において設定キー８０５〜８１６，８１９及び８２０のいずれかが押圧操作されると（ｓ１２）、中央処理ユニット３４４は、押圧操作された設定キーの内容を設定するとともに、その設定キーの表示状態を反転表示又は点滅表示に変更する（ｓ１３）。
【００４７】
また、設定キー群８２４において強制モードに係るキーが押圧操作された場合には、中央処理ユニット３４４は、設定変更画面における設定キー群８２４の表示内容を変更する（ｓ１４，ｓ１５）。例えば、図８（Ａ）に示す表示状態からタッチパネル８２の「強制ステープル」の設定キー８１９に対向する位置が押圧操作されると、図８（Ｂ）に示すように設定キー８１９が反転表示されるとともに、設定キー群８２４の５行目に「する」の設定キー８４０が新たに表示される。
【００４８】
なお、綴じ代として１２ｍｍ又は１５ｍｍの設定キー８０９，８１０が押圧操作された場合には、図８（Ｃ）に示すように、それまで反転表示していた９ｍｍの設定キー８０８の表示状態を反転していない状態に戻すとともに、１２ｍｍ又は１５ｍｍの設定キー８０９，８１０を反転表示する。ここで、表面綴じ代及び裏面綴じ代の両方の値が設定された場合には、強制ステープル及び強制パンチの設定を解除する（ｓ１６，ｓ１７）。
【００４９】
これは、「強制ステープル」及び「強制パンチ」の処理機能は綴じ代として０〜９ｍｍの値が設定されておりステープル処理やパンチ処理を行うための十分な余白がないと判断される場合において、オペレータがステープル処理やパンチ処理の実行を所望する際に設定される機能であり、綴じ代として１２ｍｍ以上が設定さた場合には、ステープル処理やパンチ処理を行うための十分な余白があるためステープル処理やパンチ処理を強制的に実行する必要がないことによる。
【００５０】
図８（Ｂ）又は（Ｃ）に示す表示状態からステープル機能の「する」キー８４０が押圧操作された場合には、図８（Ｄ）に示すように、「する」キー８４０を反転表示するとともに、ステープル機能の欄に新たに「角とじ」、「２ヶ所とじ」及び「１ヶ所とじ」の設定キー８３１〜８３３を表示する。ここに、「角とじ」とは用紙の左上の角部にステープルする処理であり、「２ヶ所とじ」とは用紙の左側の２ヶ所にステープルする処理であり、「１ヶ所とじ」とは用紙の左側の１ヶ所にステープルする処理である。
【００５１】
図８（Ａ）〜（Ｄ）に示す表示状態から完了キー８２３が押圧操作された場合には、図５に示す基本画面の表示状態に戻り（ｓ２０→ｓ１）、オペレータによるタッチパネル８２又は操作パネル７３のキースイッチ９３〜９８の押圧操作を待機する。また、図８（Ａ）〜（Ｄ）に示す表示状態から操作パネル７３のプレイバックキー９８が押圧操作されると、図７に示す表示状態に戻る。さらに、図５〜図８に示すいずれの表示状態においても、操作パネル７３のクリアオールキー９６が押圧操作された場合により、現在設定されている全ての機能が解除される。
【００５２】
なお、パーソナルコンピュータ等の外部装置から送信されたデータにしたがって各機能を設定できるようにしてもよい。
【００５３】
以上のように、機能選択画面において選択された処理機能についてのみ、設定入力画面における処理内容の変更入力操作を受け付けることにより、複数の処理機能について処理内容を設定入力する際にも入力画面を切り換える操作を不要にすることができ、処理内容の設定入力操作を簡略化することができるとともに、処理内容の設定入力を所望しない処理機能について処理内容が誤って設定入力されることを確実に防止することができる。また、単一の設定入力画面において、処理内容の設定入力操作を行うことが選択された単一又は複数の処理機能について、設定可能な複数の処理内容の全てを表示することにより、単一の設定入力画面に表示されている処理内容を選択する操作によってオペレータが処理内容の設定入力を所望する処理機能の全てについて処理内容を確実に設定することができ、処理内容の設定入力をさらに容易にすることができる。
【００５４】
また、画像形成装置において実行可能な複数の処理機能のそれぞれについて、機能選択画面において処理内容の設定入力を行うか否かのオペレータの選択入力を受け付け、この選択内容に基づいて、設定入力画面において処理内容の設定入力を受け付けるべき処理機能を決定することにより、設定入力画面においてオペレータによる処理内容の設定入力を受け付けるべき処理機能を正確に決定することができ、処理内容の設定入力を正確に行うことができる。
【００５５】
図９は、この発明の別の実施形態に係る画像形成装置である複写機の制御部の処理手順を示すフローチャートである。この実施形態に係る複写機において、ディスプレイ８１に図５に示す基本画面を表示中に（ｓ２１）、特別機能キー５１７が押圧操作されると（ｓ２２）、中央処理ユニット３４４は、ディスプレイ８１に図１０（Ａ）に示す機能選択画面を表示する（ｓ２３）。
【００５６】
この機能選択画面は、ディスプレイ８１の上部に「使用する機能を選択してください。」のメッセージ９０１を表示し、中央部に２行６列の機能キー群９００を指標とともに表示し、下部に完了キー９１３を表示する。機能キー群９００の各列には、「枠消し」機能、「綴じ代」機能、「ＯＨＰ合い紙」機能、「１セット２コピー」機能、「ステープル」機能及び「パンチ」機能のそれぞれに係る機能キーを配置している。
【００５７】
詳細には、機能キー群９００には、「枠消し」機能については機能を設定するための確定キー９０２と枠消し機能の設定内容を変更するための設定変更キー９０８とが設けられ、「綴じ代」機能については表裏面に標準値９ｍｍを設定する「９ｍｍ」キー９０３と綴じ代幅を変更するための幅変更キー９０９とが設けられ、「ＯＨＰ合い紙」機能については標準状態のコピーしない状態を設定する「コピーしない」キー９０４と設定内容を変更するための設定変更キー９１０とが設けられ、「１セット２コピー」機能については機能を設定するための１セット２コピーキー９０５が設けられ、「ステープル」機能についてはステープル位置を変更するための位置変更キー９１１が設けられ、「パンチ」機能についてはパンチ位置を変更するための位置変更キー９１２が設けられている。
【００５８】
なお、「１セット２コピー」機能については下位の設定内容がないため、設定変更に係るキーは設けられていない。また、「ステープル」機能及び「パンチ」機能については、他の機能の設定状態との組み合わせに応じて設定内容が変化することから常に設定する必要があり、機能の設定のためのキーは設けられていない。
【００５９】
図１０（Ａ）に示す機能選択画面において、機能キー群９００の機能キー９０２〜９０５のいずれかが押圧操作されると（ｓ２４）、中央処理ユニット３４４は、押圧操作された機能キーが既に設定済みの処理機能に係る機能キーであるか否かの判別を行い（ｓ２５）、既に設定されている処理機能に係る機能キーが押圧操作された場合にはその処理機能の設定状態を解除し（ｓ２６）、未だ設定されていない処理機能に係る機能キーが押圧操作された場合にはその処理機能を設定する（ｓ２７）。中央処理ユニット３４４は、設定されている処理機能については、機能キーを反転表示又は点滅表示する。
【００６０】
例えば、図１０（Ａ）に示すように枠消し機能が未だ設定されていない状態で、オペレータが枠消しキー９０２を押圧操作した場合には、図１０（Ｂ）に示すように、枠消しキー９０２を反転表示され、枠消し機能が設定される。
【００６１】
一方、図１０（Ｂ）に示すように枠消し機能が設定されている状態で、オペレータが枠消しキー９０２を押圧操作した場合には、図１０（Ａ）に示す表示状態に戻り、枠消し機能の設定が解除される。
【００６２】
図１０（Ａ）に示す機能選択画面において、機能キー群９００の設定変更キー９０８〜９１２のいずれかが押圧操作されると（ｓ２８）、中央処理ユニット３４４は、押圧操作された設定変更キーが既に選択済みの設定変更キーであるか否かの判別を行い（ｓ２９）、既に選択されている設定変更キーが押圧操作された場合にはその設定変更処理の選択状態を解除し（ｓ３０）、未だ選択されていない設定変更キーが押圧操作された場合にはその設定変更処理を選択する（ｓ３１）。中央処理ユニット３４４は、選択されている設定変更処理については、設定変更キーを反転表示又は点滅表示する。
【００６３】
例えば、図１０（Ｂ）に示すように綴じ代幅変更処理及びステープル位置変更処理が未だ選択されていない状態で、オペレータが綴じ代幅変更キー９０９及びステープル位置変更キー９１１を押圧操作した場合には、図１０（Ｃ）に示すように、幅変更キー９０９及び位置変更キー９１１が反転表示される。
【００６４】
一方、図１０（Ｃ）に示すように綴じ代幅変更処理及びステープル位置変更が選択されている状態で、オペレータが再度綴じ代幅変更キー９０９及び位置変更キー９１１を押圧操作した場合には、図１０（Ｂ）に示す表示状態に戻され、綴じ代幅変更処理及びステープル位置変更処理の選択が解除される。
【００６５】
図１０（Ａ）〜（Ｃ）の機能選択画面において完了キー９１３が押圧操作されると（ｓ３２）、中央処理ユニット３４４は、設定変更処理が選択されているか否かをチェックする（ｓ３３）。図１０（Ａ）又は（Ｂ）に示すように設定変更処理が選択されていない状態で完了キー９１３が押圧操作された場合には、中央処理ユニット３４４は、ディスプレイ８１に図５に示す基本画面を表示して機能設定の待機状態に戻る（ｓ３３→ｓ２１）。一方、図１０（Ｃ）に示すように設定変更処理が選択されている状態で完了キー９１３が押圧操作された場合には、中央処理ユニット３４４は、ディスプレイ８１に設定変更画面を表示し、図４に示したｓ１１〜ｓ２０の処理と同様の処理を実行する。
【００６６】
例えば、図１０（Ｃ）に示すように、綴じ代幅変更処理及びステープル位置変更処理が選択されている状態で完了キー９１３が押圧操作されると、図１１（Ａ）に示す設定入力画面が表示される。この図１１（Ａ）に示す設定入力画面は、ディスプレイ８１の上部に「機能の設定を変更してください。」のメッセージ１１０１を表示し、中央部に設定キー群１１０２を表示し、下部に完了キー１１１７を表示する。
【００６７】
設定キー群１１０２は、表面綴じ代の設定キー１１０３〜１１０８、裏面綴じ代の設定キー１１０９〜１１１４及びステープル処理の機能キー１１１５，１１１６のそれぞれを各１行ずつに構成したものである。表面綴じ代及び裏面綴じ代については、それぞれ「０ｍｍ」〜「１５ｍｍ」の６種類の機能キーが設けられており、ステープル処理について「しない」キー及び強制ステープルキーが設けられている。この機能キー群１１０２において、オペレータが押圧操作により設定した機能キーが反転表示又は点滅表示される。
【００６８】
図１１（Ａ）の設定入力画面において、オペレータが強制ステープルキー１１１５を押圧操作すると、中央処理ユニット３４４は、図１１（Ｂ）に示すように、強制ステープルキー１１１５を反転表示するとともに、機能キー群１１０２のステープル処理の欄にステープル機能の変更を行うための「する」キー１１１９を表示する。
【００６９】
また、図１１（Ａ）の設定入力画面において、オペレータが表面及び裏面の綴じ代として「１２ｍｍ」キー１１０６，１１１２を押圧操作した場合には、中央処理ユニット３４４は、図１１（Ｃ）に示すように、それまで反転表示されていた「９ｍｍ」キー１１０５，１１１１を通常の表示状態に戻すとともに、「１２ｍｍ」キー１１０６，１１１２を反転表示する。なお、表裏面の綴じ代として「１２ｍｍ」以上の値が設定された場合には、設定されている強制処理が解除され、図１１（Ａ）及び（Ｂ）において表示されていた「強制ステープル」キー１１１５は図１１（Ｃ）に示すように表示されなくなる。
【００７０】
図１１（Ｂ）又は（Ｃ）に示す表示状態において、オペレータがステープル処理欄の「する」キー１１１９を押圧操作すると、中央処理ユニット３４４は、図１１（Ｄ）に示すように、ステープル機能欄の「する」キー１１１９を反転表示する。さらに、ステープル機能欄に「角とじ」キー１１２６、「２ヶ所とじ」キー１１２７及び「１ヶ所とじ」キー１１２８を新たに表示し、このうち現在設定されている処理を反転表示する。
【００７１】
図１１（Ａ）〜（Ｄ）に示す設定入力画面において完了キー１１１７が押圧操作されると、中央処理ユニット３４４は、設定入力処理を終了して待機状態に戻り、ディスプレイ８１に図５に示す基本画面を表示する。
【００７２】
以上の処理により、オペレータが処理内容の設定入力を所望する処理機能のみについて設定可能な処理内容の全てを単一の設定入力画面に表示し、オペレータが処理内容の設定入力を所望しない処理機能については処理内容を設定入力画面に表示しないようにすることにより、単一の設定入力画面において選択可能に表示される処理内容数を削減して表示内容の視認性を向上することができるとともに、処理内容の設定入力操作を容易にすることができる。
【００７３】
【発明の効果】
請求項１に記載した発明によれば、オペレータが処理内容の設定入力を所望する処理機能についてのみ、表示部に表示された単一の設定入力画面において処理内容の設定入力を受け付けることにより、オペレータが処理内容の設定入力を所望する処理機能の全てについて単一の設定入力画面において処理内容の設定入力を受け付けるとともに、オペレータが処理内容の設定入力を所望しない処理機能についてはその設定入力画面においては処理内容の設定入力を受け付けることがなく、複数の処理機能について処理内容を設定入力する際にも入力画面を切り換える操作を不要にすることができ、処理内容の設定入力操作を簡略化することができるとともに、処理内容の設定入力を所望しない処理機能について処理内容が誤って設定入力されることを確実に防止することができる。
また、単一の設定入力画面において、処理内容の設定入力操作を行うことが選択された複数の処理機能について、設定可能な複数の処理内容の全てを表示することにより、単一の設定入力画面に表示されている処理内容の選択する操作によってオペレータが処理内容の設定入力を所望する処理機能の全てについて処理内容を確実に設定することができ、処理内容の設定入力をさらに容易にすることができる。
【００７４】
請求項２に記載した発明によれば、オペレータが処理内容の設定入力を所望する処理機能についてのみ、表示部に表示された単一の設定入力画面において処理内容の設定入力を受け付けることにより、オペレータが処理内容の設定入力を所望する処理機能の全てについて単一の設定入力画面において処理内容の設定入力を受け付けるとともに、オペレータが処理内容の設定入力を所望しない処理機能についてはその設定入力画面においては処理内容の設定入力を受け付けることがなく、複数の処理機能について処理内容を設定入力する際にも入力画面を切り換える操作を不要にすることができ、処理内容の設定入力操作を簡略化することができるとともに、処理内容の設定入力を所望しない処理機能について処理内容が誤って設定入力されることを確実に防止することができる。
また、オペレータが処理内容の設定入力を所望する処理機能のみについて設定可能な処理内容の全てを単一の設定入力画面に表示し、オペレータが処理内容の設定入力を所望しない処理機能については処理内容を設定入力画面に表示しないようにすることにより、単一の設定入力画面において選択可能に表示される処理内容数を削減して表示内容の視認性を向上することができるとともに、処理内容の設定入力操作を容易にすることができる。
【００７６】
請求項３に記載した発明によれば、画像形成装置において実行可能な複数の処理機能のそれぞれについて、処理内容の設定入力を行うか否かのオペレータの選択入力に基づいて、設定入力画面において処理内容の設定入力を受け付けるべき処理機能を決定することにより、設定入力画面においてオペレータによる処理内容の設定入力を受け付けるべき処理機能を正確に決定することができ、処理内容の設定入力を正確に行うことができる。
【図面の簡単な説明】
【図１】この発明の実施形態に係る画像形成装置の一例である複写機の概略の構成を示す図である。
【図２】上記複写機の制御部の構成を示すブロック図である。
【図３】上記複写機の操作パネルの平面図である。
【図４】上記複写機における処理内容設定時の処理手順を示すフローチャートである。
【図５】上記複写機における基本画面の一例を示す図である。
【図６】上記複写機における機能選択画面の一例を示す図である。
【図７】上記複写機における機能選択画面の別の表示状態の一例を示す図である。
【図８】上記複写機における設定入力画面の一例を示す図である。
【図９】この発明の別の実施形態に係る複写機の制御部の処理手順を示すフローチャートである。
【図１０】上記複写機における機能選択画面の一例を示す図である。
【図１１】上記複写機における設定入力画面の一例を示す図である。
【符号の説明】
３０−複写機（画像形成装置）
７３−操作パネル
８１−ディスプレイ（表示部）
８２−タッチパネル（表示部）
３４４−中央処理ユニット
３４５−操作基板ユニット
【図１】
0003889502.tif 000002
【図２】
0003889502.tif 000003
【図３】
0003889502.tif 000004
【図４】
0003889502.tif 000005
【図５】
0003889502.tif 000006
【図６】
0003889502.tif 000007
【図７】
0003889502.tif 000008
【図８】
0003889502.tif 000009
【図９】
0003889502.tif 000010
【図１０】
0003889502.tif 000011
【図１１】
0003889502.tif 000012